(57)【特許請求の範囲】
【請求項１】
脚力、腕力、体の柔軟性、体のバランス力、体の敏捷性の各運動能力のいずれもが発揮されるように形造られた運動用設備が、各コースに設置されるとともに、前記各運動能力の発揮される度合いを指数値で表し、前記運動用設備の運動用能力の発揮される度合いを表す指数値の組み合わせが、前記運動用設備間で異なるように構築された各種運動用設備と、
過去の利用者の全コースの通過時間と実年齢との関係を、通過時間と体力年齢という関係の統計データとして蓄積しておき、前記コースの全通過時間から、前記統計データを参照して利用者の体力年齢を算出するとともに、前記運動用設備の前記指数値を予め設定しておき、前記指数値を係数とし求めるべき各運動能力を変数としてそれぞれ乗じ、それらの和を取ったものが前記コースの通過時間であると関係づけ、複数の前記コースの個別の通過時間から前記変数を求めることにより利用者の運動能力を算出するコンピュータ手段と、が備えられ、利用者にどの運動能力に優れどの運動能力に劣るかを通知するようにしたことを特徴とする体力年齢測定システム。
【請求項２】
前記運動用設備は、前記利用者が前記コースの状況を記憶し、取るべき姿勢や経路を選択する判断力が必要とするように形造られるとともに、前記指数に知能を表す指数値が設けられたことを特徴とする請求項１に記載の体力年齢測定システム。
【請求項３】
前記運動用設備は、上面が平坦にされた複数の丸太が地上から所定の高さに、水平または傾斜して設置されて構成された渡り通路と、前記渡り通路の途中に設けられ、直立した姿勢から、かがんだ姿勢、しゃがんだ姿勢または四つんばいの姿勢をとらせるように天井を低くした構造物とが備えられることを特徴とする請求項１に記載の体力年齢測定システム。
【請求項４】
前記運動用設備は、所定の幅と長さを有する傾斜地に設けられた蛇行する登り通路であって、前記登り通路上に、よじ登って跳び降りる、跳び越える、這い上がって駆け下りる、迂回しながら登るのいずれかの動作をさせるように、複数の突起物または凹みが設けられたことを特徴とする請求項１に記載の体力年齢測定システム。
【請求項５】
前記運動用設備は、所定の幅と高さと長さとを有し、横断方向での上部歩行面の中央部が高く両側に傾斜している２本の通路からなる渡り通路で構成され、前記渡り通路は２本の通路が２又となって離れる箇所と再び１つに合流する箇所とを有し、前記２又の箇所は開脚歩行が可能な箇所を有するとともに、一方の通路を他方の通路より高くした箇所と、一方の通路を他方の通路より低くした箇所と、両方の通路の高さを同じにした箇所と、を含むことを特徴とする請求項１に記載の体力年齢測定システム。
【請求項６】
前記運動用設備は、所定の幅と高さと長さとを有し、蛇行して設置される１本の渡り通路で構成され、前記渡り通路の上部歩行面が上下に変化する箇所、水平な箇所、一方の側に傾斜している箇所、中央を境に両側に傾斜している箇所を有することを特徴とする請求項１に記載の体力年齢測定システム。
【請求項７】
前記運動用設備は、所定の長さを有する蛇行した渡り通路で構成され、前記通路の中央に前記渡り通路を２つの分ける中央壁が設けられ、前記中央壁は、手を入れて腕で体を支えることのできる複数の通孔が設けられるとともに、前記中央壁の両側面が、略鉛直な箇所、傾斜した箇所、または湾曲した箇所を有することを特徴とする請求項１に記載の体力年齢測定システム。
【請求項８】
前記運動用設備は、所定の間隔で逆Ｕ字形をしたパイプを連続的に並べたトンネル形通路で構成され、前記トンネル形通路は、高さの異なる前記パイプが使用されて、立直歩行が可能な箇所と、かがんで歩行が可能な箇所と、しゃがんで歩行が可能な箇所とが設けられるとともに、左側または右側に傾いた前記パイプが使用されて、体を左側または右側に曲げて歩く箇所とが設けられたことを特徴とする請求項１に記載の体力年齢測定システム。
【請求項９】
前記運動用設備は、所定の長さを有する通路であって、前記通路の左右側面に設けられ上下方向及び左右方向に蛇行する２本のレールと、前記レールに取り付けられてすべるように動く金具と、前記金具に連結される吊り輪とが設けられたことを特徴とする請求項１に記載の体力年齢測定システム。
【請求項１０】
前記運動用設備は、発泡スチロール製のロングドームに収容されることを特徴とする請求項１に記載の体力年齢測定システム。
【発明の詳細な説明】
【技術分野】
【０００１】
本発明は、レクリエーション施設に設けられた体力測定設備に係り、より詳細には、コースに娯楽的要素を付加した運動用設備を備えて、利用者に種々の運動を無理なく行わせるとともに、コースの通過時間を測定して、利用者の体力年齢と利用者がどの運動能力に優れ、どの運動能力に劣るかを算出できる体力年齢測定システムに関する。
【背景技術】
【０００２】
従来、リクリエーション施設などに設置された運動用設備は、体力、筋力のある若い人向きで、高齢者や子供には利用し難いものであった。そこで高齢者も含めて家族全員で楽しめるような設備として、娯楽的要素を加え適度な運動を行うことができる健康体感装置が提案されている。（特許文献１参照）
この健康体感装置は、その運動時間を測定し、家族間で誰が早いかといった比較をして楽しむことができる。しかし、利用者の体力年齢を測定するものではなかった。【０００３】
学校などで実施している体力年齢の測定は、単純な繰り返し運動をさせるもので、立幅とびの距離で瞬発力を、握力計で握力を、反復横跳びの回数で敏捷性を、長座体前屈で柔軟性を、上体起こしの回数で持久力を、開眼片足立ちの持続時間でバランス力などをそれぞれ測定している。これらの体力年齢測定は、単純な繰り返し運動をさせて、体力年齢を測定するものである。そのため（１）あまり楽しいものではない。（２）複合的な筋肉の動作をさせるものではい。（３）日頃使用しない筋肉を鍛えるものでもない。（４）記憶力、注意力など、頭の働きも含めた運動能力を測定するものではない。そこで、色々な運動を織り交ぜた長いコースを使ってその通過時間から体力年齢を求めることにすると、あらかじめ作成した統計データに照らして体力年齢が得られるが、どの運動能力に優れどの運動能力が劣るかがわからない。
【特許文献１】特開２００１−２９５０３号公報
【特許文献２】特開２００４−２７８１５０号公報
【発明の開示】
【発明が解決しようとする課題】
【０００４】
本発明の目的は、前記の問題点を解決するために創出されたもので、種々の運動を無理なく十分に行わせ、娯楽的要素も付加した複数の運動用設備をコースに設置して、各コースの通過時間と全体の通過時間から利用者の体力年齢と利用者がどの運動能力に優れまた劣るのかを算出できる体力年齢測定システムを提供することにある。
【課題を解決するための手段】
【０００５】
本発明による体力年齢測定システムは、脚力、腕力、体の柔軟性、体のバランス力、体の敏捷性の各運動能力のいずれもが発揮されるように形造られた運動用設備が、各コースに設置されるとともに、前記各運動能力の発揮される度合いを指数値で表し、前記運動用設備の運動用能力の発揮される度合いを表す指数値の組み合わせが、前記運動用設備間で異なるように構築された各種運動用設備と、過去の利用者の全コースの通過時間と実年齢との関係を、通過時間と体力年齢という関係の統計データとして蓄積しておき、前記コースの全通過時間から、前記統計データを参照して利用者の体力年齢を算出するとともに、前記運動用設備の前記指数値を予め設定しておき、前記指数値を係数とし求めるべき各運動能力を変数としてそれぞれ乗じ、それらの和を取ったものが前記コースの通過時間であると関係づけ、複数の前記コースの個別の通過時間から前記変数を求めることにより利用者の運動能力を算出するコンピュータ手段と、が備えられ、利用者にどの運動能力に優れどの運動能力に劣るかを通知するようにしたことを特徴とする。
【０００６】
前記運動用設備は、前記利用者が前記コースの状況を記憶し、取るべき姿勢や経路を選択する判断力が必要とするように形造られるとともに、前記指数に知能を表す指数値が設けられることが好ましい。
【０００７】
前記運動用設備（運動用設備１とする）は、上面が平坦にされた複数の丸太が地上から所定の高さに、水平または傾斜して設置されてなる渡り通路と、前記渡り通路の途中に設けられ、直立した姿勢から、かがんだ姿勢、しゃがんだ姿勢または四つんばいの姿勢をとらせるように天井を低くした構造物とが備えられることが好ましい。【０００８】
前記運動用設備（運動用設備２とする）は、所定の幅と長さを有する傾斜地に設けられた蛇行する登り通路であって、前記登り通路上に、よじ登って跳び降りる、跳び越える、這い上がって駆け下りる、迂回しながら登るのいずれかの動作をさせるように複数の突起物または凹みが設けられることが好ましい。【０００９】
前記運動用設備（運動用設備３とする）は、所定の幅と高さと長さを有し、横断方向での上部歩行面の中央部が高く両側に傾斜している２本の通路からなる渡り通路で構成され、前記渡り通路は２本の通路が２又となって離れる箇所と再び１つに合流する箇所とを有し、前記２又の箇所は開脚歩行が可能な箇所を有するとともに、一方の通路を他方の通路より高くした箇所と、一方の通路を他方の通路より低くした箇所と、両方の通路の高さを同じにした箇所とを含むことが好ましい。
【００１０】
前記運動用設備（運動用設備４とする）は、所定の幅と高さと長さを持った１本の渡り通路で構成され、前記渡り通路は全体が蛇行して設置されるとともに、前記渡り通路の上部歩行面が上下に変化する箇所、水平な箇所、一方の側に傾斜している箇所、中央を境に両側に傾斜している箇所を有することが好ましい。【００１１】
前記運動用設備（運動用設備５とする）は、所定の長さを有する蛇行した渡り通路で構成され、前記通路の中央に前記渡り通路を２つの分ける中央壁が設けられ、前記中央壁には、手を入れて腕で体を支えることのできる複数の通孔が設けられるとともに、前記中央壁の両側面が、略鉛直な箇所、傾斜した箇所、または湾曲した箇所を有することが好ましい。【００１２】
前記運動用設備（運動用設備６とする）は、所定の間隔で逆Ｕ字形をしたパイプを連続的に並べたトンネル形通路で構成され、前記トンネル形通路は、高さの異なる前記パイプが使用されて、立直歩行が可能な箇所と、かがんで歩行が可能な箇所と、しゃがんで歩行が可能な箇所とが設けられるとともに、左側または右側に傾いた前記パイプが使用されて、体を左側または右側に曲げて歩く箇所とが設けられることが好ましい。【００１３】
前記運動用設備（運動用設備７とする）は、所定の長さを有する通路であって、前記通路の左右側面に設けられ上下方向及び左右方向に蛇行する２本のレールと、前記レールに取り付けられてすべるように動く金具と、前記金具に連結される吊り輪とが設けられることが好ましい。【００１４】
前記運動用設備は、発泡スチロール製のロングドームに収容されることが好ましい。
【発明の効果】
【００１５】
本発明による体力年齢測定システムは、体の複数部位の筋力、体の柔軟性、体のバランス力、体の敏捷性を含む運動能力を発揮させるように運動用設備を形造り、運動能力の発揮される度合いを運動量として指数化し、各運動用設備でこの指数値が異なるように組み合わせて、複数のコースにそれぞれ異なった運動用設備を設置する。これにより、利用者の各コースの通過時間から、優れる運動能力と劣る運動能力を算出でき、コース全体の通過時間から総合的な体力年齢を提示できる。【００１６】
運動用設備の指数に知能を加え、この指数が他の指数より大きな値となるように運動用設備を形造ったから、記憶するあるいは判断力するなどの脳の活動も含めた体力年齢を算出できる。【００１７】
運動用設備１は、丸太渡りで、丸太から落ちないようにする体のバランス力が求められる。また、脚の筋肉、例えば大腿四頭筋や腓腹筋などの筋力も求められる。体の柔軟性も求められる。自分の体力に合った姿勢を迅速に判断できるかの能力も試すことができる。腕の筋力や敏捷性を表す指数値は小さくできる。【００１８】
運動用設備２は、障害物のある坂道登りの運動を行うから、脚の筋力の指数値を大きくできる。バランス力、敏捷性、柔軟性の指数も求められる。大きな突起物を避けて、時間はかかるけれども突起物のない左右のルートを選択する方が良いのか、多少のつまずきがあっても大きな突起物を越えて進んだ方がよいのかの状況判断能力も求められる。また、突起物の影に隠れた凹みは、その前の突起物の状況を記憶して注意しているなら回避することができる。なお、突起物を乗り越える時に腕の力を使うから、その指数は中程度の値にできる。【００１９】
運動設備３は、２本の通路を使って開脚歩きをさせるものなので、特に脚の筋力を必要とする。柔軟性、敏捷性、バランス力も要求される。足を回転するような形で歩行面に接地させて進むことから、脚の縫工筋や内転筋など日頃使用されない内股の筋肉が使用できる。このような運動は失禁にも効果があるとされる。開脚したままでは体を長い時間支えるのは大変なので、すばやく歩を進める必要があるから、敏捷性の指数値を大きくできる。【００２０】
運動用設備４は、所定の幅と高さと長さを持った細い１本の通路を渡るもので、その歩行面が種々に変化するように形造られるから、特にバランス力の指数値を大きくできる。脚の筋力、柔軟性の指数値も大きくできる。【００２１】
運動用設備５は、壁に沿って歩幅の狭い通路を渡るもので、特に中央壁が外側に傾斜もしくは湾曲している箇所では、通路から落ちないように腕で体を支えることが求められる。従って、腕の筋力の指数値を大きくできる。また、柔軟性、バランス力の指数値も大きくできる。【００２２】
運動用設備６は、逆Ｕ字形をしたパイプのトンネルを通り抜けるもので、パイプは左側または右側に傾いている箇所もあり、柔軟性の指数値を大きくできる。【００２３】
運動用設備７は、両手で吊り輪を握って進むように構成された通路で、レールが利用者の体から離れた箇所では、腕が伸ばされてストレッチ運動としても適する。柔軟性と腕の筋力の指数値を大きくできる。【００２４】
ロングドームは柱がないから、運動用設備を収容するに際して、運動用設備の形状変更を余儀なくされるといったことがない。また、ロングドームは延長して伸ばせるから、運動用設備が長くても収容できる。さらに、全天候型にできるから、レクリエーション施設の稼動効率を向上させることができる。
【図面の簡単な説明】
【００２５】
【図１】本発明による体力年齢測定システムの構成図である。
【図２】本発明による体力年齢測定システムの利用手順を示すフローチャートである。
【図３】本発明による体力年齢測定システムの運動用設備「ログレンジ」の正面図である。
【図４】本発明による体力年齢測定システムの運動用設備「ログレンジ」の側面図である。
【図５】本発明による体力年齢測定システムの運動用設備「嘆きの登り口」の断面図である。
【図６】本発明による体力年齢測定システムの運動用設備「嘆きの登り口」の斜視図である。
【図７】本発明による体力年齢測定システムの運動用設備「分かれ道」の斜視図である。
【図８】本発明による体力年齢測定システムの運動用設備「分かれ道」の２つの歩行面の間隔（ａ）〜（ｃ）と、高さの組み合わせ（ｄ）〜（ｆ）を示す断面図である。
【図９】本発明による体力年齢測定システムの運動用設備「ねじれの道」の斜視図である。
【図１０】本発明による体力年齢測定システムの運動用設備「ねじれの道」の渡り通路６０の断面図である。（ａ）〜（ｄ）は歩行面の種々の断面形状を示す。
【図１１】本発明による体力年齢測定システムの運動用設備「よどみの壁」の斜視図である。
【図１２】本発明による体力年齢測定システムの運動用設備「よどみの壁」の断面図である。（ａ）〜（ｃ）は中央壁の種々の断面形状を示す。
【図１３】本発明による体力年齢測定システムの運動用設備「骨の洞窟」の斜視図である。
【図１４】本発明による体力年齢測定システムの運動用設備「骨の洞窟」のトンネル形通路の断面図である。（ａ）〜（ｄ）は、種々のパイプの形状を示す。
【図１５】本発明による体力年齢測定システムの運動用設備「吊り輪ストレッチ」の斜視図である。
【図１６】本発明による体力年齢測定システムの運動用設備「吊り輪ストレッチ」の利用者１５の腕とレールの関係を示したものである。
【図１７】本発明による運動用設備をロングドームに収容した場合の内部の構成を表す平面図である。
【図１８】本発明による運動用設備をロングドームに収容した場合の内部の構成を表す正面図である。
【符号の説明】
【００２６】
１    体力年齢測定システムの運動用設備「ログレンジ」
２    体力年齢測定システムの運動用設備「嘆きの登り口」
３    体力年齢測定システムの運動用設備「分かれ道」
４    体力年齢測定システムの運動用設備「ねじれの道」
５    体力年齢測定システムの運動用設備「よどみの壁」
６    体力年齢測定システムの運動用設備「骨の洞窟」
７    体力年齢測定システムの運動用設備「吊り輪ストレッチ」
８    体力年齢測定システムの運動用設備「パイプライン」
９    体力年齢測定システムの運動用設備「エアフォレスト」
１０    体力年齢測定システムの運動用設備「鏡の廊下」
１１    体力年齢測定システムの運動用設備「手伸ばしの道」
１２    体力年齢測定システムの運動用設備「勇気の吊り橋」
１５    利用者
２０    体力年齢測定システムの構成図
３０    渡り通路
３１    丸太
３２    支持脚
４０    登り通路
４１〜４３    障害物
４４    凹み
５０    渡り通路
５１、５２    通路（２本）
６０    １本道の渡り通路
７０    渡り通路
７１    中央壁
７２    通孔
８０    トンネル形通路
８１    パイプ
９０    通路
９１、９２    レール
９３、９４    金具
９５、９６    吊り輪
９７    階段
１００    ロングドーム
１１０    入口部
１２０    出口部
１３０    アーチ形部材
Ｓ２０〜Ｓ２７    体力年齢測定システムの利用手順
【発明を実施するための最良の形態】
【００２７】
以下、図面を用いて、本発明による体力年齢測定システムを詳細に説明する。
【実施例１】
【００２８】
図１は、本発明による体力年齢測定システムの構成図である。この体力年齢測定システムは、屋外型の設備として構成している。しかし、各運動用設備をそれぞれ屋根のある施設に収容して、屋内型の設備とすることもできる。システム構成図２０に示すように、実施例の体力年齢測定システムは、１２個のコース（丸の中の数字で示す）で構成されている。各コースには種々の運動能力が発揮されるように設計された運動用設備が備えられ、一連のコースを運動しながら通過して、その通過時間を測定する。なお、コースの数は、１２個に限られるものではない。どの運動能力をいくつ調べるかに依存してコース設計される。【００２９】
各コースには、固有の名称を付けている。コース１は、「吊り輪ストレッチ」７で、吊り輪を使用したストレッチ歩行を行う。コース２は、「パイプライン」８で、パイプのジャングルを通り抜ける。コース３は、「エアフォレスト」９で、ゴムボールをかき分けて進む。コース４は、「ログレンジ」１で、バランスを取りながら丸太渡りを行う。コース５は、「嘆きの登り口」２で、障害物の多い坂登りである。コース６は、「ねじれの道」４で、細い１本道渡りである。コース７は、「鏡の廊下」１０で迷路風の階段登りである。コース８は、「手伸ばしの道」１１で、パイプの道を手すりにつかまって渡る。コース９は、「勇気の吊り橋」１２で吊り橋渡りである。コース１０は、「分かれ道」３で、開脚歩行を行う。コース１１は、「よどみの壁」５で、壁につかまっての横歩きを行う。コース１２は、「骨の洞窟」６で、体を縮ませながらトンネルをくぐるものである。【００３０】
本実施例では、運動用設備１が「ログレンジ」１に対応し、運動用設備２が「嘆きの登り口」２に対応し、運動用設備３が「分かれ道」３に対応し、運動用設備４が「ねじれの道」４に対応し、運動用設備５が「よどみの壁」５に対応し、運動用設備６が「骨の洞窟」６に対応し、運動用設備７が「吊り輪ストレッチ」７に対応する。これを中心に説明する。１つのコースは数１０秒程度のものから数分かかるものまであるが、平均的には数分程度で通過できるように運動用設備が設計されている。従って、全１２コースの場合は、正味１２分程度、コース間の渡りの時間を加えても３０分程度で終了する。このような運動は筋肉の持久力を測定することにつながる。また、持久力と並ぶ筋肉の瞬発力は、個々のコースで適宜発揮されるように設計されている。【００３１】
図２は、体力年齢測定システムの利用手順を示すフローチャートである。図２に示すように、利用者は、まずサービスカウンタで申し込みを行う（Ｓ２０）。次に、血圧、脈拍を測定し、前屈動作を行い、指の先端が足のつま先を越えた長さをスコアカード（メモ用紙）に記録する（Ｓ２１）。ここで、体調を確認し（Ｓ２２）、例えば、血圧が高く、体調が思わしくない（Ｓ２３）などの利用者は、スタートを見合わせるよう指示する。（Ｓ２４）。【００３２】
各利用者にストップウォッチと脈拍計が渡されるので、利用者は、各コースを運動しながら進み、各コースの通過時間と、各コースの開示時と終了時の脈拍をスコアカードに記録してゆく。ゴールしたら、血圧、脈拍、前屈を再度測定しスコアカードに記入する。ここで、利用者は３０分の運動が前屈の値を改善させるものであること知ることができる。また脈拍数によって、利用者が運動することに慣れているかどうかを知ることができる。脈拍計は、利用者に無理な運動をさせないようにするとの効果もある。スコアカードに利用者に実年齢を追記してサービスカウンタに渡すと、これが分析され体力年齢が算出され、認定証の形で利用者に授与される。利用者には、どの運動能力に優れ、どの運動能力に劣るかも通知される。【００３３】
体力年齢が算出されるシステムは例えばパソコン（ＰＣ）で構築できる。ここにあらかじめ過去の利用者のデータを蓄積しておく。利用者の全コースを通過するのにかかった時間と実年齢との関係は、通過時間と体力年齢という関係の最新の統計データとして更新される。この統計データを使用して、利用者の各コースの通過時間を入力し、この統計データを参照して体力年齢を算出する。【００３４】
体力年齢は、全コースの通過時間に対して求められるが、各コース別にも、地蓄積することができる。コース１１の「よどみの壁」５の例（運動用設備５の場合）を表１に、コース１２の「骨の洞窟」６の例（運動用設備６の場合）を表２に示す。年齢は１０歳を単位に区分しているが、さらに細かく区分することもできる。このような表形式は、全コース通過時間に対する体力年齢についても同じである。【００３５】
【表１】
0004724808.tif 000002
【００３６】
【表２】
0004724808.tif 000003
【００３７】
運動能力は、本実施例では、脚力、腕力、体の柔軟性、体のバランス力、体の敏捷性の５つとした。また、指数は、運動能力に知性を加えて６つとした。体の複数部位の筋力は、脚力と腕力を選択したが、これに限らず、手や腹などの部位を加えてもよい。また、脚のどの部分の筋肉を対象とするのかなど、さらに細かく着目してもよい。脚力であっても、持久力を発揮する筋肉を評価するのか、瞬発力を発揮する筋肉を評価するのか着目してもよい。そして、着目する筋肉の筋力が発揮される度合いを運動量として指数化し、各運動用設備で運動量が異なるように設計を行う。なお、体のどの部位の筋肉を調べるのか細かく分けると、その筋力の能力を調べる運用用設備が複雑になり、コースの数も増えることになる。【００３８】
筋力は、通常、訓練することで強化される。例えば、筋力トレーニングを行うと、筋肉は太くて硬くなり、逆に筋肉の柔軟性は失われる。そのため、これら相反する運動能力も評価されるように取り上げている。また、年齢とともに衰えるとされる記憶力、注意力、判断力などの「知能」を指数として加えている。例えば、どのルートが最短かの判断や、何桁かの数値を覚えるとドアが開くなどの仕掛けは、脳の働きも含めて運動能力を測定できる。脳の活動を運動量に見立てるなら、判断力は、運動能力に相当する。そして判断力が優れるなら、判断が早いか遅いかの時間になって現れる。【００３９】
本実施例では、各運動用設備において、脚力、腕力、体の柔軟性、体のバランス力、体の敏捷性の運動能力と知性の発揮される度合いが運動量として指数化される。そして、この指数が運動用設備の間で異なるように設計される。運動量は、仕事量にも相当するもので、例えば、脚なら、脚を１０回上げ下げする運動量といった意味である。この運動量を例えば指数値１０で表すと、脚の指数値５は、指数値１０の半分の運動量を表すことになる。そして、この運動量を脚の筋力で割るなら、時間が求められることを前提としている。式を使って表現すると、運動量をＷとし、筋力をＦ、この運動量にかかる時間をｔとすると、Ｗ／Ｆ＝ｔである。１／Ｆをｘとするなら、Ｗ・ｘ＝ｔで表せる式を前提としている。【００４０】
運用用設備で運動量Ｗの運動をさせて、その通過時間ｔを測定するなら、筋力の逆数ｘが求められる。ここで、１つの単純な運動のみを行う運動用設備とすると、運動に娯楽性が出ず、面白みがない。そこで、例えば、脚、手、腹の３つの運動をさせる運動用設備を設計すると、調べる筋力の種類が増えるから、筋力の逆数、すなわち、求める変数がｘ１、ｘ２、ｘ３の３つになる。その場合、その運動用設備の通過期間ｔ１は、Ｗ１・ｘ１＋Ｗ２・ｘ２＋Ｗ３・ｘ３＝ｔ１で表せる。運動用設備が１つでは、ｘ１、ｘ２、ｘ３は求められない。そこで変数が３つなら、例えば、運動用設備は３つ設ければよい。そして、各運動用設備で、運動量Ｗが異なるように運動用設備を設計しておく。３つの運動用設備の通過時間ｔ１〜ｔ３を測定するなら、Ｗ１１・ｘ１＋Ｗ１２・ｘ２＋Ｗ１２・ｘ３＝ｔ１、Ｗ２１・ｘ１＋Ｗ２２・ｘ２＋Ｗ２２・ｘ３＝ｔ２、Ｗ３１・ｘ１＋Ｗ３２・ｘ２＋Ｗ３２・ｘ３＝ｔ３の３つの式が得られる。これは、連立１次方程式であるから、ｘ１〜ｘ３を求めることができる。【００４１】
表３は、運動用設備１〜７、すなわち、ログレンジ１、嘆きの登り口２、分かれ道３、ねじれの道４、よどみの壁５、骨の洞窟６、吊り輪ストレッチ７の運動量を指数で表した表である。このように指数（脚力、腕力、柔軟性、バランス、敏捷性、知能）の組み合わせが、運動用設備の間で異なるように設計される。このように運動用設備が設計されているので、各運動能力を各運動用設備の設置された通過時間を測定することによって求めることができる。なお、吊り輪ストレッチは、コースの最初に設けて、体の筋肉をほぐす準備運動も兼ねている。１２の運動用設備を備えた１２コースの場合、区別することのできる運動能力は、理論的には１２個となる。【００４２】
【表３】
0004724808.tif 000004
【００４３】
体力年齢測定システムの１２コースのうち、表３に示す運動用設備についてさらに詳細に説明する。図３は、「ログレンジ」１で使用される運動用設備の正面図である。図３に示すように、この運動用設備は、上面が平坦にされた複数の丸太３１が、支持脚３２によって地上から所定の高さに水平または傾斜して設置された渡り通路３０である。渡り通路３０の途中には、天井から高さ制限ボード３３が吊り下げられる。そのため、利用者１５は、直立した姿勢から、腰を折ってかがんだ姿勢、脚を折ってしゃがんだ姿勢、または四つんばいの姿勢の、自分に合った姿勢をとらねばならない。どの姿勢にするか迅速に判断しないと通過時間が長くなる。図４は、ログレンジ１の側面図である。丸太３１の上部歩行面は幅が狭いので、利用者１５はバランスをとって歩を進める必要がある。バランスを失って丸太３１から落ちるとそれだけ通過時間が長くなる。【００４４】
図５は、「嘆きの登り口」２で使用される運動用設備の断面図である。図５に示すように、この運動用設備は、所定の幅と長さを有する傾斜地に設けられた蛇行する登り通路４０である。登り通路４０上には種々の形の障害物４１〜４３や凹み４４が設置される。障害物４１はよじ登って跳び降りる。障害物４２は這い上がって駆け下りる。障害物４３や凹み４４は跳び越える。また、時間がかかるが迂回しながら登っても良い。図６は、嘆きの登り口２の斜視図である。障害物４１から４３が通路を横切るように設置してある。直線的に登る自信のない利用者は左右に迂回して登ることもできる。【００４５】
図７は、「分かれ道」３で使用される運動用設備の斜視図である。この運動用設備は、所定の幅と高さと長さとを有し、上部歩行面の中央部が高く両側に傾斜している２本の通路５１、５２からなる渡り通路５０で構成される。渡り通路５０は２本の通路が２又となって離れる箇所と再び１つに合流する箇所とを有する。２又の箇所は開脚歩行で歩を進める。図８は、分かれ道３の２本の通路歩行面の高さを表した断面図である。（ａ）は２本の通路が１本になった箇所で、（ｂ）は２本の通路に分かれた箇所、（ｃ）は２本の通路幅が広がった箇所を示す。通路上部の歩行面は、中央部を高く両側に傾斜させても良い。開脚歩行をやめて一方の通路のみで早く渡ろうとする利用者に対して、歩き難くするためである。（ｄ）、（ｅ）、（ｆ）は高さが異なる２本の通路の歩行面を示す例である。このような形状は、体の重心を大きく移動させる運動が含まれる。【００４６】
図９は、「ねじれの道」４で使用される運動用設備の斜視図である。この運動用設備は、所定の幅と高さと長さとを有し、蛇行して設置される１本道の渡り通路６０で構成される。渡り通路６０の上部歩行面は上下にも変化させている。図１０は、ねじれの道４の渡り通路６０の断面図である。渡り通路６０は、上部歩行面が水平な箇所（ａ）、上部歩行面が一方の側に傾斜している箇所（ｂ）、上部歩行面が他方の側に傾斜している箇所（ｃ）、上部歩行面が中央を境に両側に傾斜している箇所（ｄ）を有する。【００４７】
図１１は、「よどみの壁」５で使用される運動用設備の斜視図である。この運動用設備は、所定の長さを有する蛇行した渡り通路７０で構成され、渡り通路７０の中央に渡り通路７０を２つの分ける中央壁７１が設けられる。中央壁７１には、手を入れて腕で体を支えることのできる複数の通孔７２が多数設けられる。図１２は、よどみの壁５の断面図である。中央壁７１の両側面が、略鉛直な箇所（ａ）、湾曲した箇所（ｂ）、傾斜した箇所（ｃ）を有する。そのため、利用者１５は、体が落ちないように手を通孔７２に入れて腕で体を支えて進むから、腕の筋力も必要になる。なお、歩行面を傾斜させるように構成してもよい。【００４８】
図１３は、「骨の洞窟」６で使用される運動用設備の斜視図である。この運動用設備は、所定の間隔で逆Ｕ字形をしたパイプ８１を連続的に並べたトンネル形通路８０で構成される。トンネル形通路８０は、高さの異なるパイプ８１が使用される。図１４は、トンネル形通路８０の断面図である。立直歩行が可能な箇所（ａ）、傾いたパイプ８１が使用されて、体を左側または右側に曲げて歩く箇所（ｂ）、（ｃ）、しゃがんで歩行が可能な箇所（ｄ）、腰を折ってかがんで歩行が可能な箇所（図示せず）などが設けられる。【００４９】
図１５は、「吊り輪ストレッチ」７で使用される運動用設備の斜視図である。この運動用設備は、所定の長さを有する通路９０と、その左右側面に設けられ上下方向及び左右方向に蛇行する２本のレール９１、９２と、このレールに取り付けられてスライドして動く、複数個の金具９３、９４と、この金具に連結される伸縮可能な吊り輪９５、９６とからなる。図１６は、利用者１５の腕とレール９１、９２の関係を示したものである。どちらかの腕を高く上げる場合（ａ）、（ｂ）、両腕とも下側に伸ばす場合（ｃ）、両腕とも高く上げる場合（ｄ）などがある。【００５０】
図１７は、運動用設備をロングドームに収容した場合の平面図である。図１８は、運動用設備をロングドームに収容した場合の内部の正面図である。図１７、図１８に示すように、ロングドーム１００は、半球形のドームを半分に分割し、入口部１１０と出口部１２０として前後に配置し、中間部分を複数のアーチ形部材１３０で連結したものである。アーチ形部材１３０を追加すれば、ロングドーム１００の長さを延長できる。また、運動用設備が多数ある場合、いくつかのロングドーム１００を組み合わせて構成することもできる。【００５１】
このようなロングドーム１００は、発泡スチロール製のドームとするのが好適である。これにより、耐用年数が長く、施工が簡単で、安価であるとの利点を享受できる。また、天窓や出窓を多数配置して内部を明るくして開放感を出せる。一例として、ロングドーム１００の内部には、勾配の異なる階段９７、角形のパイプを多数乱立させた「パイプライン」８、天井の捧に腕を伸ばすようにしてつかまり細い通路を横歩きする「手伸ばしの道」１１、湾曲したパイプのトンネルをくぐって進む「パイプライン」８、障害物の多い坂を登る「嘆きの登り口」２を配置した。
【産業上の利用可能性】
【００５２】
本発明による体力年齢測定システムは、娯楽的要素を付加した体力年齢測定の運動用設備を備えたもので、リクリエーション施設などに設置でき、量産することができる。
【図１】
0004724808.tif 000005
【図２】
0004724808.tif 000006
【図３】
0004724808.tif 000007
【図４】
0004724808.tif 000008
【図５】
0004724808.tif 000009
【図６】
0004724808.tif 000010
【図７】
0004724808.tif 000011
【図８】
0004724808.tif 000012
【図９】
0004724808.tif 000013
【図１０】
0004724808.tif 000014
【図１１】
0004724808.tif 000015
【図１２】
0004724808.tif 000016
【図１３】
0004724808.tif 000017
【図１４】
0004724808.tif 000018
【図１５】
0004724808.tif 000019
【図１６】
0004724808.tif 000020
【図１７】
0004724808.tif 000021
【図１８】
0004724808.tif 000022